(57)【要約】      （修正有）【課題】顔覆い布の端を顎の下で結ぶだけで、頭は元よりのこと顔の大事な部分のほとんどを覆うことができ、しかも極めてファッション性に優れ、風で飛ぶこともなく、また特に頬の部分に直射日光による紫外線は元より、地面、道路又は建物からの照返しによる紫外線が当たることによる頬の日焼けを防止でき、顔の汗拭きもできる画期的な帽子を提供する。【解決手段】頭収納部１ａの下部１ｂに顔覆い布２を貫通させて上方から下方に引き出し可能な一対のスリット１ｃを設けた構成及び顔覆い布２を装着した帽子１の構成とする。【選択図】図２
0003114996.tif 000002
【実用新案登録請求の範囲】
【請求項１】
頭収納部の下部に顔覆い布を貫通させて上方から下方に引き出し可能なスリットを設けたことを特徴とする帽子。
【請求項２】
頭収納部の下部に顔覆い布を貫通させて上方から下方に引き出し可能な左右一対のスリットを設けたことを特徴とする帽子。
【請求項３】
頭収納部とつばとの境界付近に、顔覆い布を貫通させて上方から下方に引き出し可能な左右一対のスリットを設けたことを特徴とする帽子。
【請求項４】
頭収納部の下部に設けられた左右一対のスリットに顔覆い布を貫通させて上方から下方に引き出してなることを特徴とする帽子。
【請求項５】
頭収納部とつばとの境界付近に設けられた左右一対のスリットに顔覆い布を貫通させて上方から下方に引き出してなることを特徴とする帽子。
【請求項６】
前記スリットは、周囲に縁かがり縫いが施されてなる長めのボタンホールであることを特徴とする請求項１から請求項５のいずれか１項に記載の帽子。
【考案の詳細な説明】
【技術分野】
【０００１】本考案は、帽子に係り、特に頭収納部の下部に顔覆い布を貫通させて上方から下方に引き出し可能な左右一対のスリットを設けることにより、この顔覆い布の端を顎の下で結ぶだけで、頭は元よりのこと顔の大事な部分のほとんどを覆うことができ、しかも極めてファッション性に優れ、風で飛ぶこともなく、また特に頬の部分に当たる直射日光による紫外線は元より、地面や道路及び建物による照返しの紫外線による頬の日焼けを防止でき、顔の汗拭きもできる画期的な帽子に関する。
【背景技術】
【０００２】従来、帽子には非常に多くの種類のものが提供され、実用に供されているが、大別すれば、つば付き帽子と、つばなし帽子とに分けられ、これらにはほとんど顔の日焼けを防止する機能はなく、たとえ麦藁帽子のようなつば付き帽子であっても、斜めからの日差しに対しては、顔のうち特に頬の部分の日焼けを防止することは極めて困難であった。【０００３】またこれらのほかに、特に農作業用等に開発された後頭部の日焼け防止部又は日焼け防止布付きの帽子が広く女性の間で用いられており、これは農業や漁業に携わる主婦、ゴルフ場のキャディー、建築・土木工事に携わる女性等が使用している。
しかしこの種の後頭部の日焼け防止を主目的とした帽子は、上記作業専用には好適であるが、その形態からして、都会の女性がショッピングや通勤、通学、また特別な例としては選挙運動等に使用できるものでは到底なく、これらの上品さを要求される場面で使用できるファッション性に優れた日焼け防止の可能な帽子は、従来全く提供されていなかった。【０００４】そこで、従来は、顔の日焼けを防止するためには、まずタオル等の顔覆い布を頭に被せ、その上から帽子を被り、顎の下で結んだりしていたが、これもその形態からしてファッション性が悪く、上記のような上品さが要求される場面で到底使用することができるものではなく、また風が吹けば容易に飛んでしまうという欠点は避けることはできなかった。【０００５】要するに従来技術では、顔覆い布を上品に帽子に固定し、顔覆い布付きの帽子とするこはできなかったのである。
このため、多くの女性が上品さを要求される場面での、特に頬の付近の日焼けを防止することができず、紫外線対策に苦しんでいるのが現状である。【０００６】本願出願人及び考案者は、本願考案に対する公知特許文献及び公知非特許文献を知らないので、その記載を省略する。
【考案の開示】
【考案が解決しようとする課題】
【０００７】本考案は、上記した従来技術の欠点を除くためになされたものであって、その目的とするところは、頭収納部の下部に顔覆い布を貫通させて上方から下方に引き出し可能なスリットを設けることにより、該顔覆い布を頭収納部の周囲に巻きながら、その両端を上方から下方に引き出して、特に頬の付近を覆う顔覆い布（着用の衣服と同じ布の使用が可能）が帽子の下に出現するようにすることであり、またこれによってブランド品のスカーフやビーズ等のアクセサリを併用することで非常にファッション性に優れ、上品さが要求される場面で使用可能であり、風で飛ぶこともなく、顔のうちでも特に頬の部分の直射日光のみならず地面、道路及び建物からの照返しによる日焼けを防止でき、しかも汗拭きにも使用できるという、従来では考えられなかった商品価値の高い帽子を提供することにある。【０００８】また他の目的は、頭収納部の下部に顔覆い布を貫通させて上方から下方に引き出し可能な左右一対のスリットを設けることにより、該顔覆い布を頭収納部の周囲に巻きながら、その両端を左右均等に上方から下方に引き出して、特に頬の付近を覆う顔覆い布が帽子の下に一対出現するようにすることであり、またこれによってこれらを顎の下で結ぶだけで非常にファッション性に優れ、上品さが要求される場面で使用可能であり、風で飛ぶこともなく、顔のうちでも特に頬の部分の日焼けを防止でき、しかも汗拭きにも使用できるという、機能性の高い帽子を提供することである。【０００９】また他の目的は、頭収納部とつばとの境界付近に、顔覆い布を貫通させて上方から下方に引き出し可能な左右一対のスリットを設けることにより、スカーフ、タオル、手拭い等の連続した顔覆い布を頭収納部の周囲かつつばの上側に巻きながら、その両端を左右均等に上方から下方に引き出して、特に頬の付近を覆う顔覆い布が帽子の下に一対出現するようにすることであり、またこれによって非常にファッション性に優れ、上品さが要求される場面で使用可能であり、風で飛ぶこともなく、顔のうちでも特に頬の部分の日焼けを防止できるつば付きの帽子、例えば麦藁帽子等を提供することにある。【００１０】更に他の目的は、頭収納部の下部に設けられた左右一対のスリットに顔覆い布を貫通させて上方から下方に引き出してなる帽子とすることによって、被って顔覆い布の端部を顎の下で結ぶだけで、非常にファッション性に優れ、農作業等の作業用は元よりのこと、女性の通勤、通学、ショッピング、選挙運動、会合への出席等の上品さが要求される場面でも十分に使用可能であり、しかも風で飛ばされることもなく、特に頬の部分の日焼け防止に有効で、更には汗拭きにも使用できるという、画期的な帽子を提供することである。【００１１】また他の目的は、頭収納部とつばとの境界付近に設けられた左右一対のスリットに顔覆い布を貫通させて上方から下方に引き出してなる帽子とすることによって、顔覆い布が左右均等に顔の部分に出現するようにし、被って顔覆い布の端部を顎の下で結ぶだけで、非常にファッション性に優れ、農作業等の作業用は元よりのこと、女性の通勤、通学、ショッピング、選挙運動、会合への出席等の上品さが要求される場面でも十分に使用可能であり、しかも風で飛ばされることもなく、特に頬の部分の日焼け防止に有効で、更には汗拭きにも使用できるという、画期的な帽子を提供することである。【００１２】また他の目的は、スリットを、周囲に縁かがり縫いが施されてなる長めのボタンホールとすることによって、スリットが相当過酷なしかも頻度の高い使用によっても容易にはほつれたり破れたりしないようにすることであり、長期間の使用に耐えるようにすることである。また他の目的は、スリットを長めのボタンホールとすることによって、ミシンで縫ってその中央部を切断するだけで簡単にスリットが形成できるようにして、ほとんどコストの上昇を招くことなく、機能性の非常に優れた帽子を得ることができるようにすることである。
【考案の効果】
【００１３】本考案は、上記のように頭収納部の下部に顔覆い布を貫通させて上方から下方に引き出し可能なスリットを設けたので、該顔覆い布を頭収納部の周囲に巻きながら、その両端を上方から下方に引き出して、特に頬の付近を覆う顔覆い布（着用の衣服と同じ布の使用が可能）が帽子の下に出現するようにすることができ、またこの結果ブランド品のスカーフやビーズ等のアクセサリを併用することで非常にファッション性に優れ、上品さが要求される場面で使用可能であり、風で飛ぶこともなく、顔のうちでも特に頬の部分の直射日光のみならず地面、道路及び建物からの照返しによる日焼けを防止でき、しかも汗拭きにも使用できるという、従来では考えられなかった商品価値の高い帽子を提供することができる効果がある。【００１４】また頭収納部の下部に顔覆い布を貫通させて上方から下方に引き出し可能な左右一対のスリットを設けたので、該顔覆い布を頭収納部の周囲に巻きながら、その両端を左右均等に上方から下方に引き出して、特に頬の付近を覆う顔覆い布が帽子の下に一対出現する効果があり、またこの結果これらを顎の下で結ぶだけで非常にファッション性に優れ、上品さが要求される場面で使用可能であり、風で飛ぶこともなく、顔のうちでも特に頬の部分の日焼けを防止でき、しかも汗拭きにも使用できるという、機能性の高い帽子を提供することができる効果がある。【００１５】また頭収納部とつばとの境界付近に、顔覆い布を貫通させて上方から下方に引き出し可能な左右一対のスリットを設けたので、スカーフ、タオル、手拭い等の連続した顔覆い布を頭収納部の周囲かつつばの上側に巻きながら、その両端を左右均等に上方がら下方に引き出すことで、特に頬の付近を覆う顔覆い布が帽子の下に一対出現する効果があり、またこの結果非常にファッション性に優れ、上品さが要求される場面で使用可能であり、風で飛ぶこともなく、顔のうちでも特に頬の部分の日焼けを防止できるつば付きの帽子、例えば麦藁帽子等を提供し得る効果がある。【００１６】更には、頭収納部の下部に設けられた左右一対のスリットに顔覆い布を貫通させて上方から下方に引き出してなる帽子としたので、被って顔覆い布の端部を顎の下で結ぶだけで、非常にファッション性に優れ、農作業等の作業用は元よりのこと、女性の通勤、通学、ショッピング、選挙運動、会合への出席等の上品さが要求される場面でも十分に使用可能であり、しかも風で飛ばされることもなく、特に頬の部分の日焼け防止に有効で、更には汗拭きにも使用できるという、画期的な帽子を提供することができる効果がある。【００１７】また頭収納部とつばとの境界付近に設けられた左右一対のスリットに顔覆い布を貫通させて上方から下方に引き出してなる帽子としたので、顔覆い布が左右均等に顔の部分に出現する効果があり、被って顔覆い布の端部を顎の下で結ぶだけで、非常にファッション性に優れ、農作業等の作業用は元よりのこと、女性の通勤、通学、ショッピング、選挙運動、会合への出席等の上品さが要求される場面でも十分に使用可能であり、しかも風で飛ばされることもなく、特に頬の部分の日焼け防止に有効で、更には汗拭きにも使用できるという、画期的な帽子を提供することができる効果がある。【００１８】またスリットを、周囲に縁かがり縫いが施されてなる長めのボタンボールとしたので、スリットが相当過酷なしかも頻度の高い使用によっても容易にはほつれたり破れたりしないという効果があり、長期間の使用に耐えるようにし得る効果がある。またスリットを長めのボタンホールとしたので、ミシンで縫ってその中央部を切断するだけで簡単にスリットが形成できるため、ほとんどコストの上昇を招くことなく、機能性の非常に優れた帽子を得ることができるという効果が得られる。
【課題を解決するための手段】
【００１９】要するに本考案（請求項１）に係る帽子は、頭収納部の下部に顔覆い布を貫通させて上方から下方に引き出し可能なスリットを設けたことを特徴とするものである。【００２０】また本考案（請求項２）に係る帽子は、頭収納部の下部に顔覆い布を貫通させて上方から下方に引き出し可能な左右一対のスリットを設けたことを特徴とするものである。【００２１】また本考案（請求項３）に係る帽子は、頭収納部とつばとの境界付近に、顔覆い布を貫通させて上方から下方に引き出し可能な左右一対のスリットを設けたことを特徴とするものである。【００２２】また本考案（請求項４）に係る帽子は、頭収納部の下部に設けられた左右一対のスリットに顔覆い布を貫通させて上方から下方に引き出してなることを特徴とするものである。【００２３】また本考案（請求項５）に係る帽子は、頭収納部とつばとの境界付近に設けられた左右一対のスリットに顔覆い布を貫通させて上方から下方に引き出してなることを特徴とするものである。【００２４】また本考案（請求項６）に係る帽子は、前記スリットが、周囲に縁かがり縫いが施されてなる長めのボタンホールであることを特徴とするものである。
【考案を実施するための最良の形態】
【００２５】以下本考案を図面に示す実施例に基づいて説明する。図１から図５において、本考案の第１実施例に係る帽子１は、頭収納部１ａの下部１ｂに顔覆い布２（着用の衣服と同じ布の使用が可能）を貫通させて上方から下方に引き出し可能な複数のスリット１ｃを設けたものである。【００２６】この実施例の帽子１は、麦藁帽子等のつば付きの帽子であって、スリット１ｃは、頭収納部１ａとつば１ｄとの境界１ｅ付近に左右一対設けられており、顔覆い布２が頬５ａの付近を覆うことができるように、中央より少し前の位置に、上方から見て円周方向の角度で１２０度乃至１７０度の範囲で隔てて、好ましくは１５０度位隔てて設けられている。【００２７】またスリット１ｃは、周囲に縁かがり縫い３が施されてなる長めのボタンホール４として構成されている。そしてボタンホール４は、ジグザグミシン（図示せず）で簡単に作ることができる。即ち、まずミシンのボタンホール縫いを選んでジグザグ縫いを行えば、任意の長さの縁かがり縫い３が体縫いで形成され、その後ミシンに備え付けのカッタを作動させれば、縁かがり縫い３の中央の帽子１本体の布等の部分のみを切断することができ、縁かがり縫い３自体は全く切断されず、きれいなボタンホール４が形成され、これによって、縁かがり縫い３が施されたスリット１ｃが完成する。【００２８】そして図７に示すような絵柄２ａが施された顔覆い布２を、図８に示すように、その一端２ｂ（先細りの形状が望ましい）をまず一方のスリット１ｃに矢印Ａの如く差し込み、該スリットを貫通させて上方から下方へ引き出し、次いで図１０に示すように、頭収納部１ａの後部又は前部に巻きながら、図９に示すように、顔覆い布２の他の一端２ｃ（先細りの形状が望ましい）を他方のスリット１ｃに矢印Ｂの如く差し込み、該スリットを貫通させて上方から下方へ引き出すことにより、図２及び図６に示すような顔覆い布２付きのつば付きの帽子１が完成する。このとき、顔覆い布２は、一対となって顔５の頬５ａの付近に均等に出現し、垂下するので、これを図１１に示すように、顎５ｂの下で結ぶことにより、帽子１を被り、かつ顔覆い布２を顔５の特に頬５ａを覆うように装着することができる。【００２９】顔覆い布２としては、ブランド品のスカーフ、ハンカチ、タオル、手拭い等を使用することができ、これらにビーズ等の各種のアクセサリーを併用することもできる。【００３０】図１４及び図１５に示すものは、本考案の第２実施例に係り、つばとしては特に明瞭に形成されていないが、かなり深く顔４を隠すことができるようにした市販のバケット帽と呼ばれる帽子１の頭収納部１ａの下部１ｂに同様なスリット１ｃを設けたものであり、その他は第１実施例と同様であるので、同一の部分には図面に同一の符号を付してその説明を省略する。【００３１】図１６及び図１７に示すものは、本考案の第３実施例に係り、野球帽や、作業帽等のつば付きの帽子１に同様なスリット１ａを左右一対設けたものであり、この場合には、顔覆い布２は頭収納部１ａの下部１ｂに設け、顔覆い布２は頭収納部１ａの前部に巻きながら、一対のスリット１ｃを貫通させて垂下させ、顔５の頬５ａの付近を特に覆うことができるようにしたものであり、その他の構成は第１実施例と同様であるので、同一の部分には図面に同一の符号を付してその説明を省略する。なお、スリット１ｃは頭収納部１ａとつば１ｄとの境界１ｅ付近に設けてもよい。【００３２】なお、顔覆い布２は、連続したものに限定されるものではなく、連続したものを用いない場合は、図示は省略するが、各スリット１ｃの上方でその一端を結んで太くしてスリット１ｃを貫通できないようにしておいてから、他の一端をスリット１ｃを貫通させて上方から下方に引き出すことにより、頭収納部１ａに巻がなくてもスリット１ａにより抜けないようにして、顔覆い布２を一対均等に顔５の頬５ａの付近に垂下させて、同様に使用することもできる。【００３３】本考案は、上記のように構成されており、以下のその作用について説明する。図１０から図１２において、本考案に係る帽子１を被ると、まず従来になかった帽子の形態として、顔覆い布２が帽子１の頭収納部１ａに約半周にわたって巻かれているので、これが帽子１の上側に現れ、特に絵柄２ａがあれば、美しく帽子１の上側を飾り、きれいに見え、この点でもファッション性があり、斬新な印象を看者に与えることができる。【００３４】本来の作用としては、図１１に示すように、顔５の特に頬５ａを顔覆い布２で簡単に覆うことができるため、太陽６からの直射日光による紫外線のみならず、地面、道路及び建物（いずれも図示せず）からの照返しによる紫外線による頬５ａの日焼けを防止することができる。
このため、農作業や図１３に示すようなガーデニングにおける草花８の手入れ及び建築現場の作業は元よりのこと、上品さが要求されるショッピングや、通勤、通学、会合への出席、自動車、自転車又は徒歩での選挙運動等の際にも女性が安心して着用することができる。これは顔覆い布２にブランド品のスカーフやハンカチ等を使用できるばかりでなく、これにビーズや各種のアクセサリー（図示せず）を併用してお洒落をすることも可能であり、帽子１としてのファッション性が非常に高いためである。【００３５】また顔覆い布２は、帽子１にしっかり固定されており、顎５ｂの下で結ばれているので、顔５へのフィット感が非常によく、相当強い風が吹いても帽子１が飛ばされることは絶対になく、この点でも安心して、どんなひどい環境下でも着用することができる。また暑い日には、顔覆い布２で顔５の汗を拭くこともできる。
顔覆い布２は、各種のものを交換して使用することができ、衣服に合わせてお洒落を楽しむこともできる。この際、スリット１ｃがボタンホールで構成され、縁かがり縫い３が施されているので、耐久性が非常に大きく、頻繁に顔覆い布２を変更するたびに抜き刺ししてもスリット１ｃが磨滅したりさけたりする心配はなく、長期間安心して使用することができる。
なお、顔覆い布２を用いないで、帽子１のみで使用することも勿論可能であり、この際には、スリット１ｃは穴ではないため、ほとんど目立たず、普通の帽子としても快適に使用できるから非常に便利である。
このように、本考案に係る帽子１は、まさに画期的な帽子であり、その産業上の利用性は計り知れない程であると言っても過言ではない。【００３６】なお、図１４及び図１５に示す本考案の第２実施例に係る帽子１並びに図１６及び図１７に示す本考案の第３実施例に係る帽子１においても、その作用は第１実施例の帽子１と同様であるので、これらについての作用の説明は省略する。
【図面の簡単な説明】
【００３７】
【図１】図１から図１３は本考案の第１実施例に係り、図１は帽子の斜視図である。
【図２】顔覆い布を装着した帽子の斜視図である。
【図３】帽子の拡大縦断面図である。
【図４】帽子のスリット付近の拡大縦断面図である。
【図５】帽子の縦断面図である。
【図６】顔覆い布を装着した帽子の縦断面図である。
【図７】顔覆い布の斜視図である。
【図８】顔覆い布を帽子の一方のスリットに差し込む状態を示す斜視図である。
【図９】顔覆い布を帽子の頭収納部に巻きながら他方のスリットに顔覆い布を差し込む状態を示す斜視図である。
【図１０】顔覆い布を装着した帽子の平面図である。
【図１１】本考案に係る帽子を被った女性の顔の斜視図である。
【図１２】本考案に係る帽子を被った女性の上半身の斜視図である。
【図１３】本考案に係る帽子を被った女性が太陽の下でガーデニングをしている状態を示す斜視図である。
【図１４】図１４及び図１５は本考案の第２実施例に係り、図１４はバケット帽子の斜視図である。
【図１５】本考案に係るバケット帽子を被った女性の顔の斜視図である。
【図１６】図１６及び図１７は本考案の第３実施例に係り、図１６は野球帽、作業帽等の帽子の斜視図である。
【図１７】顔覆い布を装着した野球帽、作業帽等の帽子の斜視図である。
【符号の説明】
【００３８】  １    帽子
１ａ  頭収納部
１ｂ  下部
１ｃ  スリット
１ｄ  つば
１ｅ  境界
２    顔覆い布
３    縁かがり縫い
４    ボタンホール
【図１】
0003114996.tif 000003
【図２】
0003114996.tif 000004
【図３】
0003114996.tif 000005
【図４】
0003114996.tif 000006
【図５】
0003114996.tif 000007
【図６】
0003114996.tif 000008
【図７】
0003114996.tif 000009
【図８】
0003114996.tif 000010
【図９】
0003114996.tif 000011
【図１０】
0003114996.tif 000012
【図１１】
0003114996.tif 000013
【図１２】
0003114996.tif 000014
【図１３】
0003114996.tif 000015
【図１４】
0003114996.tif 000016
【図１５】
0003114996.tif 000017
【図１６】
0003114996.tif 000018
【図１７】
0003114996.tif 000019